(57)【特許請求の範囲】
【請求項１】
周波数の異なる複数のサブキャリアを用いて端末と通信する無線基地局を備えた無線通信システムであって、
前記無線基地局は、
端末へのデータパケットを送信するサブキャリアを複数選択し、該データパケットを選択された複数のサブキャリアに振り分けて送信するサブキャリア選択部と、
前記端末から受信されるデータパケットの再送要求を検出し、該データパケットの欠落又は伝送誤りのあったサブキャリアを特定する再送要求検出部と、
前記再送要求検出部で特定されたサブキャリアで、再送要求が不要であることを示す識別情報を含む再送不要パケットを送信する再送不要データ送信部と
を備え、
前記端末は、
サブキャリアで送信されるデータパケットの欠落又は伝送誤りを検出する受信部と、
パケットの欠落又は伝送誤りがある場合、前記無線基地局に該パケットの再送要求を送信する再送要求部と
を備え、
前記端末は、再送不要パケットについては前記再送要求部による再送要求を行わず、
且つ、
前記端末は、
前記無線基地局から予め定められた数の再送不要パケットを検出すると、該無線基地局にサブキャリア回復通知を送信する再送不要データ検出部
をさらに備え、
前記サブキャリア選択部は、サブキャリア回復通知を受信すると、再送不要パケットを送信していた該サブキャリアを含む複数のサブキャリアを選択し、データパケットを選択された複数のサブキャリアに振り分けて送信する
無線通信システム。
【請求項２】
前記再送要求検出部は、特定されたサブキャリアの識別情報を、前記サブキャリア選択部に通知し、
前記サブキャリア選択部は、通知されたサブキャリアを除くサブキャリアの中から端末へのデータパケットを送信するサブキャリアをひとつ又は複数選択し、該データパケットを選択されたサブキャリアに振り分けて送信する請求項１に記載の無線通信システム。
【請求項３】
前記サブキャリア選択部は、前記端末に送信するパケットの識別情報と、該パケットを送信したサブキャリアの識別情報とを記憶部に記憶し、
前記再送要求検出部は、データパケットの欠落又は伝送誤りのあったパケットの識別情報を含む再送要求を検出し、該パケットの識別情報に基づき前記記憶部を参照してデータパケットの欠落又は伝送誤りのあったサブキャリアを特定する請求項１又は２に記載の無線通信システム。
【請求項４】
前記端末は、サブキャリアごとに、該サブキャリアのデータパケットの再送要求を送信してから予め定められた有効時間内か否かを検出するためのタイマをさらに備え、
前記再送不要データ検出部は、前記タイマが有効時間を経過したことを示すと、対応するサブキャリアを切断する請求項１乃至３のいずれかに記載の無線通信システム。
【発明の詳細な説明】
【技術分野】
【０００１】
本発明は、無線通信システムに係り、特に、移動局と基地局が複数のキャリアを用いてマルチキャリア通信を行う無線通信システムに関する。
【背景技術】
【０００２】
近年、移動体通信は十分に普及したが、有線通信で実現しているリッチコンテンツサービスを移動体通信で実現するためには、更なる伝送速度向上が必要である。移動体通信での伝送速度向上のための技術として、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）やＳＤＭＡ（Ｓｐａｃｅ  Ｄｉｖｉｓｉｏｎ  Ｍｕｌｔｉｐｌｅ  Ａｃｃｅｓｓ）という技術があるが、非特許文献１では複数の通信キャリア周波数をサブキャリアとして束ねて、ひとつの通信路とみなすマルチキャリア通信方式が考えられている。
【０００３】
移動体通信は時間経過による無線特性の変化により、特定の周波数に対してのみフェージングが発生することがある。上記のマルチキャリア通信方式を採用した場合、使用する周波数帯の増加に伴い、前述の特定周波数にのみ発生するフェージングの影響を受けてしまうケースも増加することが考えられる。マルチキャリア通信方式において、特定の周波数に対するフェージングにより当該サブキャリアのみ通信品質が劣化すると、前記サブキャリアを通じて送信されたパケットに伝送誤りが頻発し、結果的に再送処理が多発することとなる。パケット再送処理の多発は、データ転送の遅延時間を引き起こすため、パケット送受信のリアルタイム性を必要とするＶｏＩＰ（Ｖｏｉｃｅ  ｏｖｅｒ  Ｉｎｔｅｒｎｅｔ  Ｐｒｏｔｏｃｏｌ）などのサービス提供時に課題となる。例えば、前述の非特許文献１では、前記のような、特定周波数にのみフェージングが発生し、当該サブキャリアのみ通信品質が劣化したケースでは、当該サブキャリアとでの通信を切断することにより、データ転送遅延時間を一定に保つ方法が規定されている。
【先行技術文献】
【特許文献】
【０００４】
【特許文献１】特開平３−１３１１４３号公報
【特許文献２】特開昭６３−４７２９号公報
【非特許文献】
【０００５】
【非特許文献１】３ＧＧＰ２  Ｃ．Ｓ０００２４−Ｂ＿Ｖ２．０
【発明の概要】
【発明が解決しようとする課題】
【０００６】
上述した非特許文献１で開示されたマルチキャリア通信方式では、サブキャリア毎に受信Ｃ／Ｎ（Ｃａｒｒｉｅｒ  ｔｏ  Ｎｏｉｓｅ）を測定し、測定したＣ／Ｎが規定値以下になった場合に通信品質が劣化したと判断し、当該サブキャリアの切断を行っている。しかし、特定サブキャリアを切断してしまうと、当該サブキャリアに対する無線特性が回復したときにスループットの回復が見込めない。切断されたサブキャリアに対する無線特性が回復した際に、当該サブキャリアに対して再接続を行う手順は非特許文献１で規定されているが、複雑なシグナリングパケットのやり取りが必要となり、無線特性が劣化／回復を繰り返す環境においては、当該サブキャリアの切断／接続のためのシグナリングパケットが大量に発生することが懸念される。
【０００７】
無線特性が劣化した場合に当該サブキャリアの切断を行わずに、再送パケットを低減させる方法として、特許文献１では通信品質が劣化した通信路に対してパケット長を変化させる方法が開示されている。また、特許文献２では、通信品質が劣化した通信路に対してデータ転送速度を変化させ再送パケットの発生を低減させる方法が開示されている。これら特許文献で開示されている方法では、無線特性の劣化したサブキャリアを切断せずにパケット再送処理の低減を図っているが、無線特性が劣化したサブキャリアに対して再送が必要な通常データを送信しているため、どうしてもパケット再送が継続的に発生してしまう。
【０００８】
これらの懸念点を鑑みて、本発明は、無線特性の劣化したサブキャリアを持つマルチキャリア通信において、無線特性の劣化したサブキャリアを切断することなく、パケット再送処理による通信遅延時間の発生を抑止させることを目的とする。
【課題を解決するための手段】
【０００９】
本発明による無線通信システムは、移動局と、前記移動局と複数のキャリア周波数を持って通信可能な無線基地局と、を有する無線通信システムにおいて、前記移動局で伝送誤りを検出する手段と、前記無線基地局からの再送不要データを検出する手段と、を有し、前記無線基地局で前記移動局からのパケット再送要求を検出する手段と、パケット再送要求を受けたデータが送信されたサブキャリアを検出する手段と、前記サブキャリアへ再送不要データを送信する機能と、を有することを特徴とする。
【００１０】
本発明の解決手段によると、
周波数の異なる複数のサブキャリアを用いて端末と通信する無線基地局を備えた無線通信システムであって、
前記無線基地局は、
端末へのデータパケットを送信するサブキャリアを複数選択し、該データパケットを選択された複数のサブキャリアに振り分けて送信するサブキャリア選択部と、
前記端末から受信されるデータパケットの再送要求を検出し、該データパケットの欠落又は伝送誤りのあったサブキャリアを特定する再送要求検出部と、
前記再送要求検出部で特定されたサブキャリアで、再送要求が不要であることを示す識別情報を含む再送不要パケットを送信する再送不要データ送信部と
を備え、
前記端末は、
サブキャリアで送信されるデータパケットの欠落又は伝送誤りを検出する受信部と、
パケットの欠落又は伝送誤りがある場合、前記無線基地局に該パケットの再送要求を送信する再送要求部と
を備え、
前記端末は、再送不要パケットについては前記再送要求部による再送要求を行わず、
且つ、
前記端末は、
前記無線基地局から予め定められた数の再送不要パケットを検出すると、該無線基地局にサブキャリア回復通知を送信する再送不要データ検出部
をさらに備え、
前記サブキャリア選択部は、サブキャリア回復通知を受信すると、再送不要パケットを送信していた該サブキャリアを含む複数のサブキャリアを選択し、データパケットを選択された複数のサブキャリアに振り分けて送信する
無線通信システムが提供される。
【００１１】
上述の無線通信システムによると、無線特性の劣化したサブキャリアを持つマルチキャリア通信において、無線特性の劣化したサブキャリアを切断することなく、パケット再送処理による遅延時間を低減させることができる。
【００１２】
また、上述の無線通信システムにおいて、
前記端末は、サブキャリアごとに、該サブキャリアのデータパケットの再送要求を送信してから予め定められた有効時間内か否かを検出するためのタイマをさらに備え、
前記再送不要データ検出部は、前記タイマが有効時間を経過したことを示すと、対応するサブキャリアを切断してもよい。
この無線通信システムによると、無線特性の劣化したサブキャリアの無線リソースを保持し続けることを回避することができる。
【発明の効果】
【００１３】
本発明によると、無線特性の劣化したサブキャリアを持つマルチキャリア通信において、無線特性の劣化したサブキャリアを切断することなく、パケット再送処理による遅延時間を低減させることができる。
【図面の簡単な説明】
【００１４】
【図１】ネットワーク構成図を説明する図である。
【図２】本実施の形態で使用する無線移動局を説明する図である。
【図３】本実施の形態で使用する無線基地局を説明する図である。
【図４】無線特性劣化検出時の動作シーケンスを説明する図である。
【図５】無線特性回復検出時の動作シーケンスを説明する図である。
【図６】本実施の形態で使用する送信サブキャリア情報テーブルを説明する図である。
【図７】本実施の形態で使用する再送不要データ構成を説明する図である。
【図８】第２の実施の形態で無線特性劣化検出時の動作シーケンスを説明する図である。
【図９】第２の実施の形態で無線特性回復検出時の動作シーケンスを説明する図である。
【図１０】第２の実施の形態で使用する再送不要データ構成を説明する図である。
【図１１】第２の実施の形態で使用するタイマ部を説明する図である。
【発明を実施するための形態】
【００１５】
以下、本発明を実施するための形態を、図面を参照して詳細に説明する。
１．第１の実施の形態
図１は、本発明による無線通信システムの実施の形態を示すネットワーク構成図である。
無線移動局２０と無線基地局３０は、例えばサブキャリア１０１とサブキャリア１０２とサブキャリア１０３を用いて通信を行い、データパケット１１０の送受信を行う。サブキャリア１０１とサブキャリア１０２とサブキャリア１０３を通るデータパケット１１０は、すべて独立したデータパケット１１０となっている。無線移動局２０は、無線基地局３０、コアネットワーク１２０を経由し、通信相手１３０と通信を行う。サブキャリアの数は、３つに限らず適宜の複数であってもよい。
【００１６】
図２は、無線移動局２０の構成例を示すブロック図である。
無線移動局２０は、アンテナ２００、ＲＦ部２１０、信号変復調部２２１〜２２３、制御部２３０、および、周辺装置部２４０を備える。無線移動局２０は、無線基地局３０と複数のサブキャリアを用いてデータ通信を行う。ＲＦ部２１０は、アンテナ２００を介して無線基地局３０との無線信号を受信し、受信した無線信号を信号変復調部２２１〜２２３へ受け渡す。信号変復調部２２１〜２２３はそれぞれ独立した周波数で前記無線信号の変調及び復調を行う。
【００１７】
制御部２３０は、無線基地局３０との無線チャネルの接続および解放の処理を行う。制御部２３０は、例えば、通信処理部２３１とメッセージ受信部２３２と通信サブキャリア選択部２３３と再送不要データ検出部２３４とを備える。通信処理部２３１は、信号変復調部２２１〜２２３が変復調した制御信号を送受信して無線基地局３０との無線プロトコル処理を行う。メッセージ受信部２３２は、無線基地局３０からのデータを受信し伝送誤りの有無を解析する。通信サブキャリア選択部２３３では、無線基地局３０とのデータ送受信を行うサブキャリアを選択する。再送不要データ検出部２３４では、無線基地局３０から送信された再送が必要のないデータ（以降、再送不要データ）を検出し、再送不要データが予め定められた回数まで正確に受信できるかを判定する。周辺装置部２４０は、例えば入力を行うためのボタン等で構成される入力部２４１、メッセージ等の情報を表示するＬＣＤやＬＥＤ等の表示部２４２、および、スピーカ２４３を備える。
【００１８】
図３は、無線基地局３０の構成例を示すブロック図である。
無線基地局３０は、アンテナ３００、ＲＦ部３１０、信号変復調部３２１〜３２３、制御部３３０、記憶部３４０、および、コアネットワークＩＦ部３５０を有する。無線基地局３０は、無線移動局２０と複数のサブキャリアを用いてデータ通信を行う。ＲＦ部３１０は、アンテナ３００を介して無線移動局２０との無線信号を送受する。信号変復調部３２１〜３２３はそれぞれ独立した周波数で前記無線信号の変調及び復調を行う。制御部３３０は、無線移動局２０との無線チャネルの設定および解放の処理を行う通信処理部３３１と、無線移動局２０からのデータを受信処理するメッセージ受信部３３２と、無線移動局２０とのデータ送受信を行うサブキャリアを選択する通信サブキャリア選択部３３３と、無線移動局２０からの再送要求を検出し、再送要求データの送信元サブキャリアを特定する再送要求検出部３３４と、再送不要データを送信する再送不要データ送信部３３５とを有する。記憶部３４０では、送信サブキャリア情報テーブル３４１を管理する。コアネットワークＩＦ部３５０は、コアネットワーク１２０とのインタフェースをとる。
【００１９】
図６は、本実施の形態で使用する送信サブキャリア情報テーブルを説明する図である。
送信サブキャリア情報テーブル３４１は、送信済みパケット番号６０１と送信サブキャリア番号６０２とが対応して記憶される。
【００２０】
本発明における第１の実施の形態を、図１の無線移動局２０と無線基地局３０が三つのサブキャリアを用いて通信を行っているときに、サブキャリア１０２の無線特性が悪化した場合を例にとりを図４、図５を用いて説明する。
【００２１】
図４は、無線特性劣化検出時の動作シーケンスを説明する図である。
予め、無線移動局２０と無線基地局３０の間でコネクション４０１が確立されているものとする。無線基地局３０では、制御部３３０で分割されたデータパケット４１１ａ〜４１１ｃを各信号変復調部３２１〜３２３にて変調し、各サブキャリア１０１〜１０３を通して無線移動局２０に対して送信する。この例ではサブキャリア１０１〜１０３を用いているが、通信サブキャリア選択部２３３により複数のサブキャリアの中から所定数のサブキャリアが選択されてもよい。無線基地局３０は、送信したパケットのパケット番号（シーケンス番号）と通信サブキャリア番号を対応して送信サブキャリア情報テーブル３４１に記憶する。無線基地局３０から送信されたデータは、サブキャリア１０１〜１０３にのせて無線移動局２０に送信される。しかし、サブキャリア１０２の無線特性劣化のため、ここでは無線基地局３０から送信されたデータ４１１ｂは無線移動局２０に到達できない。
【００２２】
無線移動局２０では、サブキャリア１０１とサブキャリア１０３を受信した信号変復調部２２１と信号変復調部２２３は、受信信号を復調することでデータパケット４１２ａと４１２ｃを取り出し、制御部２３０へ送信する。制御部２３０内のメッセージ受信部２３２ではデータパケット４１２ａとデータパケット４１２ｃを受信したにも関わらず、データパケット４１２ｂを受信できないことをもって、データ欠落２３２ａを検出する。ここで、データ欠落２３２ａの検出方法としては、データパケット内に含まれるシーケンス番号の欠落を一つ検出した場合でもよい。また、一定数連続してシーケンス番号の欠落を検出した場合でもよい。単位時間内に一定のシーケンス番号の欠落を検出した場合としてもよい。データ欠落２３２ａを検出した無線移動局２０は、データパケット４１２ｂの識別情報を含めた欠落データ再送要求４２０を無線基地局３０へ送信する。
【００２３】
欠落データ再送要求４２０を受信した無線基地局３０では、制御部３３０内の再送要求検出部３３４にて、欠落データ再送要求４２０を検出する。欠落データ再送要求４２０を検出した再送要求検出部３３４では、欠落データ再送要求４２０に含まれるデータパケット４１２ｂの識別情報を基に、記憶部３４０内の送信サブキャリア情報テーブル３４１を検索して対応する送信サブキャリア番号を取得する。送信サブキャリア情報テーブル３４１から、データパケット４１２ｂを送信したサブキャリア１０２を特定した再送要求検出部３３４は、サブキャリア１０２の無線特性が劣化したことを示す情報を、通信サブキャリア選択部３３３へ通知し、再送不要データ送信部３３５へ再送不要データ送信開始指示を出す。ここで、再送不要データについて定義する。再送不要データとは、無線特性の回復を監視する目的で無線特性の劣化したサブキャリアに送信するデータである。また、再送不要データは、図７に示す構造をしており、エンドユーザのデータ通信を含まないため再送が不要である。再送不要データ７１０は、ヘッダ情報７１１と、再送不要フラグ７１２と、ペイロード部７１３を有する。なお、フラグ以外に適宜の識別情報を用いてもよい。
【００２４】
再送不要データ送信開始指示を受信した再送不要データ送信部３３５は、再送不要データを通信サブキャリア選択部３３３へ送信開始する。再送要求検出部３３４からサブキャリア１０２の情報を受信した通信サブキャリア選択部３３３は、信号変復調部２２２に対して通常データの送信を停止し、代わりに再送不要データ送信部３３５から受信する再送不要データを信号変復調部２２２に送信する。サブキャリア１０２は、データ欠落を検出したサブキャリア１０２で、通常データの送信を行うと更なる欠落データ再送要求が無線基地局３０に到達することが考えられるため、無線基地局３０では、サブキャリア１０２に対してデータ欠落時に再送が必要な通常データではなく、データ欠落時に再送不要データを送信する。通常データは、例えばサブキャリア１０１、１０３で送信される。なお、上述の欠落データ再送要求４２０で要求されたパケットは、再送処理を行ってもよい。
【００２５】
図５に、上述した再送不要データ送信後にサブキャリア１０２の無線特性が回復した場合の動作シーケンスを示す。
図４と同様に、無線移動局２０と無線基地局３０の間でコネクション５０１が確立されているものとする。無線基地局３０は、通常データ５１１ａ、５１１ｂを信号変復調部３２１、信号変復調部３２３にて変調し無線移動局２０に送信する。また、信号変復調部３２２では再送不要データ５２１を変調し、無線移動局２０に送信し続けている。サブキャリア１０２の無線特性が回復した場合には、無線特性劣化のため欠落していた再送不要データ５２１が無線移動局２０に到達するようになる。無線移動局２０では、信号変復調部２２２にて、サブキャリア１０２の信号を復調し再送不要データ５２２を復調する。信号変復調部２２２から再送不要データ５２２を受信した制御部２３０内の再送不要データ検出部２３４では、再送不要データ５２２を受信したサブキャリアの識別情報を含むサブキャリア回復通知５２０を無線基地局３０に対し送信する。ここで、サブキャリア回復通知５２０を送信する契機として、再送不要データ５２２を一度でも受け取った場合としてもよい。また、無線基地局３０にて、再送不要データ５２２のペイロード部７１３にシーケンシャルなデータを含ませ、無線移動局２０にて、予め定められた数連続したデータを受信できたことを検出した場合としてもよい。
【００２６】
サブキャリア回復通知５２０を受信した無線基地局３０では、制御部３３０内の再送要求検出部３３４にて、サブキャリア回復通知５２０を検出する。サブキャリア回復通知５２０を検出した再送要求検出部３３４では、サブキャリア回復通知５２０に含まれるサブキャリアの識別情報と、サブキャリアの無線特性が回復したことを示す情報とを、通信サブキャリア選択部３３３に通知し、再送不要データ送信部３３５へ再送不要データ送信停止指示を出す。サブキャリアの無線特性回復を受信した通信サブキャリア選択部３３３では、信号変復調部３２２に対して通常のデータ送信を開始する。再送不要データ送信停止指示を受信した再送不要データ送信部３３５では、通信サブキャリア選択部３３３に対する再送不要データ５２１の送信を停止する。上記の手順をふむことで、無線特性の劣化したサブキャリアを持つマルチキャリア通信において、無線特性の劣化したサブキャリアを切断することなく、また、パケット再送処理も発生させないため通信遅延時間の抑制も可能である。
【００２７】
２．第２の実施の形態
本発明における第２の実施の形態について説明する。第２の実施の形態では、無線移動局２０にタイマ機能を設け、データ再送要求送信後に一定時間経過しても、データ欠落の発生したサブキャリアの無線特性が回復しない場合には、当該サブキャリアを切断する。
【００２８】
ネットワーク構成図（図１）と無線基地局のブロック構成図（図３）は第１の実施の形態と同様である。図８は、第２の実施の形態で使用する無線移動局２０のブロック図である。
アンテナ２００、ＲＦ部２１０、信号変復調部２２１〜２２３、及び、周辺装置２４０については第１の実施の形態と同様である。制御部２３０内にタイマ部８０１が追加されている。図１１に示すようにタイマ部８０１は、にサブキャリア番号１１０１毎にタイマ値１１０２を設定できる。
【００２９】
第２の実施の形態において、無線移動局２０と無線基地局３０が三つのサブキャリアを用いて通信を行っているときに、サブキャリア１０２の無線特性が悪化した場合の動作シーケンスを図９、図１０を用いて説明する。予め、無線移動局２０と無線基地局３０の間でコネクション９０１が確立されている。データ欠落を検出２３２ａするまでは、図４と同様である。無線移動局２０は無線基地局３０に欠落データ再送要求９２０送信後に、制御部２３０内のタイマ部８０１において、データ欠落の発生したサブキャリアに対して回復タイマ８０１ａを開始する。その後のシーケンスにおいては、図４と同様であるため説明を省略する。
【００３０】
前述の回復タイマ８０１ａ満了時の動作シーケンスを図１０を参照して説明する。無線移動局２０と無線基地局３０の間でコネクション１００１が確立されている。無線基地局３０では、信号変復調部３２２にて変調を行った再送不要データ１２０１を無線移動局２０に対して送信し続けている。この例では、サブキャリア１０２の無線特性が回復し、無線移動局２０の再送不要データ検出部２３４にて再送不要データを検出する前に、回復タイマ８０１ａが満了する（８０１ｂ）。回復タイマの時間は予め定められることができる。回復タイマ満了８０１ｂを契機に、タイマ部８０１は通信処理部２３１に対して当該サブキャリアの切断通知を送信する。サブキャリア切断通知を受信した通信処理部２３１は無線基地局３０に対して、サブキャリア切断要求１０３０を送信する。
【００３１】
サブキャリア切断要求１０３０を受信した無線基地局３０では、例えば非特許文献１で規定されている手順に則り、新規サブキャリア割当要求１０４０を無線移動局２０に対して送信する。例えば、ここでは新規にサブキャリア１０１、１０３を割り当てる。新規サブキャリア割当要求１０４０を受信した無線移動局２０でも、非特許文献１で規定されている手順に則り、新規サブキャリア割当完了通知１０５０を無線基地局３０に送信する。無線基地局３０では、切断したサブキャリア１０２を除く、サブキャリア１０１、サブキャリア１０３を用いてデータ通信を継続する。第２の実施の形態によって、無線特性の劣化したサブキャリアの無線リソースを保持し続けることを回避することができる。
【産業上の利用可能性】
【００３２】
本発明は、例えば、移動局と基地局が複数のキャリアを用いてマルチキャリア通信を行う無線通信システムに利用可能である。
【符号の説明】
【００３３】
２０  無線移動局
３０  無線基地局
１１０  データパケット
１２０  コアネットワーク
１３０  通信相手
２００  アンテナ
２１０  ＲＦ部
２２１  信号変復調部１
２２２  信号変復調部２
２２３  信号変復調部３
２３０  制御部
２３１  通信制御部
２３２  メッセージ受信部
２３３  通信サブキャリア選択部
２３４  再送不要データ検出部
２４０  周辺装置
２４１  入力部
２４２  表示部
２４３  スピーカ
３００  アンテナ
３１０  ＲＦ部
３２１  信号変復調部１
３２２  信号変復調部２
３２３  信号変復調部３
３３０  制御部
３３１  通信制御部
３３２  メッセージ受信部
３３３  通信サブキャリア選択部
３３４  再送要求検出部
３３５  再送不要データ送信部
３４０  記憶装置
３４１  送信サブキャリア情報テーブル
３５０  コアネットワークＩＦ部
４０１  無線コネクション
４１１  送信データ
４１２  受信データ
４２０  欠落データ再送要求
４３１  送信データ
４３２  受信データ
５０１  無線コネクション
５１１  送信データ
５１２  受信データ
５２１  再送不要データ送信
５２２  再送不要データ受信
５３０  サブキャリア回復通知
５４１  送信データ
５４２  受信データ
６０１  送信済みパケット番号
６０２  送信サブキャリア番号
７１０  再送不要データ構成例
７１１  従来ヘッダ情報
７１２  再送不要フラグ
７１３  ペイロード
８０１  タイマ部
９０１  無線コネクション
９１１  送信データ
９１２  受信データ
９２０  欠落データ再送要求
９３１  送信データ
９３２  受信データ
１００１  無線コネクション
１０１１  送信データ
１０１２  受信データ
１０２１  再送不要データ送信
１０３０  サブキャリア切断要求
１０４０  新規サブキャリア割当要求
１０５０  新規サブキャリア割当完了通知
１０６１  送信データ
１０６２  受信データ
【図１】
0005393603.tif 000002
【図２】
0005393603.tif 000003
【図３】
0005393603.tif 000004
【図４】
0005393603.tif 000005
【図５】
0005393603.tif 000006
【図６】
0005393603.tif 000007
【図７】
0005393603.tif 000008
【図８】
0005393603.tif 000009
【図９】
0005393603.tif 000010
【図１０】
0005393603.tif 000011
【図１１】
0005393603.tif 000012